(57)【特許請求の範囲】
【請求項１】
１つのワンタッチダイアルキー操作で宛先を指定するとともに当該指定宛先についての所定の付加情報を登録可能なワンタッチダイアル機能と、送信動作に関して複数の指定情報を１つの登録キーに登録するプログラム機能を備えたファクシミリ装置において、
上記プログラム機能の登録キーに登録が指定された内容に上記ワンタッチダイアルキーが含まれるとき、当該登録キーの登録情報には、上記ワンタッチダイアルキーの識別情報と当該ワンタッチダイアルキーに登録されている宛先情報を含むことを特徴とするファクシミリ装置。
【請求項２】
前記プログラム機能の登録キーが操作されたとき、当該登録キーの登録情報に、前記ワンタッチダイアルキーの識別情報が含まれている場合、当該ワンタッチダイアルキーに登録されている宛先情報と、上記登録情報に登録された宛先情報を比較し、それらが一致している場合には、上記ワンタッチダイアルキーに登録されている前記付加情報を使用して、送信動作を行うことを特徴とする請求項１記載のファクシミリ装置。
【請求項３】
前記プログラム機能の登録キーが操作されたとき、当該登録キーの登録情報に、前記ワンタッチダイアルキーの識別情報が含まれている場合、当該ワンタッチダイアルキーに登録されている宛先情報と、上記登録情報に登録された宛先情報を比較し、それらが一致している場合には、上記ワンタッチダイアルキーに登録されている上記宛先情報および前記付加情報を使用して送信動作を行う一方、それらが一致していないときには、当該登録キーに登録された宛先情報を使用して送信動作を行うことを特徴とする請求項１記載のファクシミリ装置。
【発明の詳細な説明】
【０００１】
【発明の属する技術分野】
本発明は、１つのワンタッチダイアルキー操作で宛先を指定するとともに当該指定宛先についての所定の付加情報を登録可能なワンタッチダイアル機能と、送信動作に関して複数の指定情報を１つの登録キーに登録するプログラム機能を備えたファクシミリ装置に関する。
【０００２】
【従来の技術】
従来より、１つのワンタッチダイアルキー操作で宛先を指定するとともに当該指定宛先についての所定の付加情報を登録可能なワンタッチダイアル機能と、送信動作に関して複数の指定情報を１つの登録キーに登録するプログラム機能を備えたファクシミリ装置が実用されている。
【０００３】
この場合、ワンタッチダイアル機能に登録される付加情報としては、登録された宛先へ送信動作を行った場合に取得された相手端末の通信機能等の情報であり、その付加情報に基づいて使用可能な通信機能をあらかじめ設定して相手装置へ発呼し、送信動作を行う、いわゆる短縮プロトコル動作を行うための参照情報として用いられる。
【０００４】
【発明が解決しようとする課題】
さて、このような従来装置において、プログラム機能の登録キーに登録された宛先についても、上述した短縮プロトコル動作を行うことができるようにするために、例えば、特開平６−２６８７７３号公報に開示された「ファクシミリ装置」が提案されている。
【０００５】
この従来技術では、プログラム機能の登録キーへの情報登録時、当該登録キーについて登録指定された宛先情報が既にワンタッチダイアルキーに登録されている場合、そのワンタッチダイアルキーに登録されている付加情報を、そのまま登録キーの登録情報にコピー登録している。それにより、プログラム機能の登録キーを使用した発呼時には、第１回目より、登録されている付加情報を使用した短縮プロトコル動作が可能となり、通信時間の短縮を図ることができる。
【０００６】
しかしながら、このような従来技術では、同一内容を、ワンタッチダイアルキーの登録情報と、プログラム機能の登録キーの登録情報という、２つの異なるカテゴリーの情報として重複記憶することとなり、記憶領域を有効に活用する上で不都合を生じていた。
【０００７】
本発明は、かかる実情に鑑みてなされたものであり、プログラム機能の登録キーに適切に情報を登録することのできるファクシミリ装置を提供することを目的としている。
【０００８】
【課題を解決するための手段】
本発明は、１つのワンタッチダイアルキー操作で宛先を指定するとともに当該指定宛先についての所定の付加情報を登録可能なワンタッチダイアル機能と、送信動作に関して複数の指定情報を１つの登録キーに登録するプログラム機能を備えたファクシミリ装置において、上記プログラム機能の登録キーに登録が指定された内容に上記ワンタッチダイアルキーが含まれるとき、当該登録キーの登録情報には、上記ワンタッチダイアルキーの識別情報と当該ワンタッチダイアルキーに登録されている宛先情報を含むようにしたものである。
【０００９】
また、前記プログラム機能の登録キーが操作されたとき、当該登録キーの登録情報に、前記ワンタッチダイアルキーの識別情報が含まれている場合、当該ワンタッチダイアルキーに登録されている宛先情報と、上記登録情報に登録された宛先情報を比較し、それらが一致している場合には、上記ワンタッチダイアルキーに登録されている前記付加情報を使用して、送信動作を行うようにしたものである。
【００１０】
また、前記プログラム機能の登録キーが操作されたとき、当該登録キーの登録情報に、前記ワンタッチダイアルキーの識別情報が含まれている場合、当該ワンタッチダイアルキーに登録されている宛先情報と、上記登録情報に登録された宛先情報を比較し、それらが一致している場合には、上記ワンタッチダイアルキーに登録されている上記宛先情報および前記付加情報を使用して送信動作を行う一方、それらが一致していないときには、当該登録キーに登録された宛先情報を使用して送信動作を行うようにしたものである。
【００１１】
【発明の実施の形態】
以下、添付図面を参照しながら、本発明の実施の形態を詳細に説明する。
【００１２】
図１は、本発明の一実施例にかかるグループ３ファクシミリ装置を示している。
【００１３】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１４】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、テンキーやワンタッチダイアルキーやプログラムキー等の各種の操作キー、および、各種の表示器からなる。
【００１５】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１６】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１７】
網制御装置１１は、このグループ３ファクシミリ装置をアナログ公衆網ＰＳＴＮに接続するためのものであり、自動発着信機能を備えている。また、この網制御装置１１には、通話のために使用される電話機１２が付設されている。
【００１８】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１３に接続されており、これらの各要素間でのデータのやりとりは、主としてこの内部バス１３を介して行われている。
【００１９】
また、網制御装置１１とグループ３ファクシミリモデム１０との間のデータのやりとりは、直接行なわれている。
【００２０】
また、このグループ３ファクシミリ装置は、１つのキー操作で宛先電話番号を入力可能にするワンタッチダイアル機能、および、１つのキー操作により、送信宛先および所望の送信モード（例えば、「親展モード」をオンに設定、線密度（解像度）を「標準」に設定等）を設定入力可能にするプログラム機能を備えている。
【００２１】
そして、パラメータメモリ３には、図２（ａ）に示すように、ワンタッチダイアル機能について、それぞれのワンタッチダイアル情報を記憶するためのワンタッチダイアル情報記憶領域と、プログラム機能について、それぞれの登録キーに登録情報を記憶するためのプログラム情報記憶領域が設けられている。
【００２２】
また、ワンタッチダイアル情報としては、同図（ｂ）に示すように、それぞれのワンタッチダイアルキーについて、宛先番号情報、宛先名情報、および、短縮プロトコル動作を行う際に参照される宛先付加情報が記憶される。
【００２３】
また、登録キーの登録情報としては、同図（ｃ）に示すように、登録キーをあらわすプログラム番号、宛先の登録時に使用されたワンタッチダイアル番号をあらわすワンタッチダイアル情報、登録時に入力された宛先番号情報、および、その他の設定内容（例えば、送信モード等）からなる。
【００２４】
ここで、短縮プロトコル動作とは、ＩＴＵ−Ｔ勧告Ｔ．３０に規定されているグループ３ファクシミリ伝送プロトコル（手順）のうち、発呼してから画情報を送信するまでのプロトコル（フェーズＢに相当）を省略して、通信時間を短縮するようにしたものである。
【００２５】
図３は、プログラム機能の登録キーへの情報登録時の処理の一例を示している。
【００２６】
まず、ユーザが任意のプログラム登録操作を行う（処理１０１）。この場合、例えば、宛先を指定し、親展モード等の送信モードの指定を行い、線密度（解像度）や読取濃度等の設定を行う。また、宛先の指定には、直接テンキー操作により行う方法とワンタッチダイアルキーを利用して行う方法がある。また、送信モードの指定に伴って、例えば、親展モードの場合には、パスワード等の付加情報が操作入力される場合がある。
【００２７】
ユーザのプログラム登録操作が終了すると、そのときの宛先の指定に際し、ワンタッチダイアルキーが使用されたかどうかを調べる（判断１０２）。判断１０２の結果がＹＥＳになるときには、そのときに使用されたワンタッチダイアルキーに対応したワンタッチダイアル情報を、パラメータメモリ３のワンタッチダイアル情報記憶領域より取得し（処理１０３）、そのときの登録キーについて作成する登録情報のワンタッチダイアル番号の項目にはそのときのワンタッチキーのワンタッチダイアル番号をセットし、また、宛先番号情報には、ワンタッチダイアル情報から取得した宛先電話番号情報の内容をセットし、設定内容には、それ以外の操作された内容（送信モード等）をセットして（処理１０４）、このときの動作を終了する。
【００２８】
また、判断１０２の結果がＮＯになるときには、そのときの登録キーについて作成する登録情報のワンタッチダイアル番号の項目には不使用をあらわすデータをセットし、また、宛先番号情報には、そのときにテンキー操作により入力された電話番号の値をセットし、設定内容には、それ以外の操作された内容（送信モード等）をセットして（処理１０５）、このときの動作を終了する。
【００２９】
図４は、プログラム機能の登録キーが使用されて送信動作が起動された場合の処理の一例を示している。
【００３０】
まず、ユーザが行ったプログラム指定入力処理（処理２０１）において指定された登録キーの登録情報を調べ、ワンタッチダイアル番号に有効な情報がセットされているかどうかを判断する（判断２０２）。
【００３１】
判断２０２の結果がＹＥＳになるときには、ワンタッチダイアル番号に登録されている値に対応してたワンタッチダイアル情報を、パラメータメモリ３のワンタッチダイアル情報記憶領域より取得し、さらに、そのワンタッチダイアル情報に登録されている宛先番号情報を取得する（処理２０３）。
【００３２】
次に、処理２０３で取得した宛先番号情報と、登録キーの登録情報に登録されている宛先番号情報とを比較し（処理２０４）、それらが一致するかどうかを調べる（判断２０５）。
【００３３】
一致する場合で、判断２０５の結果がＹＥＳになるときには、処理２０３で取得したワンタッチダイアル情報から付加情報を取得し（処理２０６）、処理２０３で取得した宛先番号情報および登録情報の設定内容と、処理２０６で取得した付加情報を使用する旨設定した状態で、送信動作へ移行する（処理２０７）。
【００３４】
したがって、この場合、ワンタッチダイアルキーに登録されている宛先へ発呼し、短縮プロトコル動作が行われる可能性があり、また、プログラム機能の登録キーに登録されている動作モードで通信が行われる。
【００３５】
また、判断２０５の結果がＮＯになるとき、および、判断２０２の結果がＮＯになるときには、登録キーの登録情報に登録されている宛先番号情報および設定内容を使用する旨設定した状態で、送信動作へ移行する（処理２０８）。
【００３６】
したがって、この場合には、ユーザが設定した宛先へ発呼し、プログラム機能の登録キーに登録されている動作モードで通信が行われる。
【００３７】
このようにして、本実施例では、プログラム機能の登録キーに登録されているワンタッチダイアルキーの登録内容が変更されている場合には、登録キーへの情報登録時にワンタッチダイアルキーに登録されていた宛先番号情報が適用されて発呼されるので、プログラムキー（プログラム機能の登録キー）を使用した発呼操作が行われた場合に、意図しない宛先へ送信動作が行われるような事態を回避することができる。
【００３８】
また、プログラムキーに宛先として登録したワンタッチダイアルキーに、付加情報が登録されているときには、当該付加情報を参照して短縮プロトコル動作が行われるので、通信時間を短縮できる。
【００３９】
【発明の効果】
以上説明したように、本発明によれば、１つのワンタッチダイアルキー操作で宛先を指定するとともに当該指定宛先についての所定の付加情報を登録可能なワンタッチダイアル機能と、送信動作に関して複数の指定情報を１つの登録キーに登録するプログラム機能を備えたファクシミリ装置において、上記プログラム機能の登録キーに登録が指定された内容に上記ワンタッチダイアルキーが含まれるとき、当該登録キーの登録情報には、上記ワンタッチダイアルキーの識別情報と当該ワンタッチダイアルキーに登録されている宛先情報を含むようにしたので、プログラムキー使用時にワンタッチダイアルキーの登録情報を適切に参照できるという効果を得る。
【００４０】
また、前記プログラム機能の登録キーが操作されたとき、当該登録キーの登録情報に、前記ワンタッチダイアルキーの識別情報が含まれている場合、当該ワンタッチダイアルキーに登録されている宛先情報と、上記登録情報に登録された宛先情報を比較し、それらが一致している場合には、上記ワンタッチダイアルキーに登録されている前記付加情報を使用して、送信動作を行うようにしたので、登録時とワンタッチダイアルキーへの登録内容が変更になった場合でも、ユーザが意図した送信宛先へ発呼され、適切な送信動作が行われるという効果も得る。
【００４１】
また、前記プログラム機能の登録キーが操作されたとき、当該登録キーの登録情報に、前記ワンタッチダイアルキーの識別情報が含まれている場合、当該ワンタッチダイアルキーに登録されている宛先情報と、上記登録情報に登録された宛先情報を比較し、それらが一致している場合には、上記ワンタッチダイアルキーに登録されている上記宛先情報および前記付加情報を使用して送信動作を行う一方、それらが一致していないときには、当該登録キーに登録された宛先情報を使用して送信動作を行うようにしたので、登録時とワンタッチダイアルキーへの登録内容が変更になった場合でも、ユーザが意図した送信宛先へ発呼され、適切な送信動作が行われるとともに、ワンタッチダイアルキーに登録された付加情報を適用して送信動作を行うので、例えば、短縮プロトコル動作を適切に行えるという効果も得る。
【図面の簡単な説明】
【図１】本発明の一実施例にかかるグループ３ファクシミリ装置の構成例を示したブロック図。
【図２】ワンタッチダイアル情報記憶領域とプログラム情報記憶領域に登録される情報を説明するための概略図。
【図３】プログラム機能の登録キーへの情報登録時の処理の一例を示したフローチャート。
【図４】プログラム機能の登録キーが使用されて送信動作が起動された場合の処理の一例を示したフローチャート。
【符号の説明】
１  システム制御部
２  システムメモリ
３  パラメータメモリ
７  操作表示部
【図１】
0003871598.tif 000002
【図２】
0003871598.tif 000003
【図３】
0003871598.tif 000004
【図４】
0003871598.tif 000005